(57)【特許請求の範囲】
【請求項１】
被制御機器に接続された外線を端子部を介して電子機器モジュールに接続した制御盤において、前記電子機器モジュールを複数個一列に並べて電子機器ユニットとし、この電子機器ユニットの一端側に前記端子部を一列に並べ、この端子部と電子機器ユニットの他端部とを間隔を隔てて対向させるようにして複数の電子機器ユニットを配置することにより、これら電子機器ユニット間に前記外線の配線用空間を形成し、隣接する前記電子機器ユニット間の配線用空間を覆い前記電子機器ユニットに着脱自在なカバーを設け、前記カバーを前面板と底板とからなる断面を略Ｌ字状に形成し、これら前面板と底板とを２部材で構成し、底板を前記一方の電子機器ユニットに取り付けるとともに、前面板を底板と前記他方の電子機器に着脱自在に取り付けたことを特徴とする制御盤。
【発明の詳細な説明】
【０００１】
【発明の属する技術分野】
本発明は、外部の複数の被制御機器をそれぞれ制御する複数の電子機器モジュールを備えた制御盤に関し、特に、被制御機器と電子機器モジュール間を接続する外線の配線構造に関する。
【０００２】
【従来の技術】
図１２は従来の制御盤における配線構造を模式的に示す正面図であって、同図に基づいてこれを説明すると、制御盤５０は、背板５１と、この背板５１の両側部に取り付けられた角筒状の一対の配線用ダクト５２，５２と、これら配線用ダクト５２，５２間に掛け渡された断面がコ字状の一対の配線用ダクト５３とによって筺体が形成されている。背板５１には、複数の電子機器５４がねじ止めされており、これら電子機器５４の端子部５５には、図示を省略した被制御機器に一端が接続され、配線用ダクト５２，５３内に配線された外線２６の他端が直接接続されている。
【０００３】
図１３は従来の第２の例の制御盤における配線構造を模式的に示した正面図である。同図において、５個の電子機器モジュール６１は同じ外形に形成され、左右方向に一列に並べられており、それぞれの電子機器モジュール６１には、上下方向に一列に並べられた８個の端子部６２が設けられている。ダクト５２およびダクト５３内に配線された外線２６は、ダクト５３の上部に設けられた図示しない導出口から上方に導出され、端子部６２に接続されている。そして、各電子機器モジュール６１に接続される外線２６はダクト５３から外に導出したところでクランプ６４によって束ねられる。
【０００４】
【発明が解決しようとする課題】
しかしながら、上述した従来の制御盤のうち、第１の例においては、各電子機器５４の背板５１への取付位置が左右上下に一定位置に配置されていないので、制御盤の導入口から各端子部５５に接続されるまでの外線の長さを決めるのが困難であった。したがって、すべての外線の長さを最長の外線の長さに合わせ、不要な部分は接続作業中に切断して処分する必要があった。また、直接、外線を電子機器モジュールの端子部に接続するようにしているので、配線作業時に誤配線をした場合に再配線が煩雑になり、作業性が悪かった。また、各電子機器５４の端子部５５の配置にばらつきがあり、かつ電子機器５４の端子部５５の番号が連番でないため、接続作業が煩雑であった。
この問題を解決するために、ダクト５３から同じ間隔だけ離間した位置に中継用の外部端子部を設け、この中継用の外部端子部に一旦外線を接続し、この中継用の外部端子部を介して電子機器５４に外線を接続することも行われていた。しかしながら、外部端子部を設けるスペースが必要になるので、装置が大型化するばかりではなく、外部端子部を設けるための工程が多くなるといった問題もあった。また、制御盤内の各電子機器と外部端子部との配線図（内部配線図）と、外部端子部と外線との接続図（外部配線図）との二つの配線図を必要とし、内部配線をチェックする必要があるとともに、電子機器の端子番号と中継端子の番号が異なるために接続作業が煩雑になっていた。
また、上述した従来の第２の例においては、外線２６を導出口６４から上方に導出するための作業用の空間として長さＨだけ余分な空間を高さ方向に必要とするため、装置が大型化するといった問題があった。
【０００５】
本発明は上記した従来の問題に鑑みなされたものであり、その目的とするところは、作業性の向上と装置の小型化を図った制御盤を提供することにある。
【０００６】
【課題を解決するための手段】
この目的を達成するために、請求項１記載の発明は、被制御機器に接続された外線を端子部を介して電子機器モジュールに接続した制御盤において、前記電子機器モジュールを複数個一列に並べて電子機器ユニットとし、この電子機器ユニットの一端側に前記端子部を一列に並べ、この端子部と電子機器ユニットの他端部とを間隔を隔てて対向させるようにして複数の電子機器ユニットを配置することにより、これら電子機器ユニット間に前記外線の配線用空間を形成し、隣接する前記電子機器ユニット間の配線用空間を覆い前記電子機器ユニットに着脱自在なカバーを設け、前記カバーを前面板と底板とからなる断面を略Ｌ字状に形成し、これら前面板と底板とを２部材で構成し、底板を前記一方の電子機器ユニットに取り付けるとともに、前面板を底板と前記他方の電子機器に着脱自在に取り付けたものである。
したがって、制御盤の外線の導入口から端子部までの外線の長さをあらかじめ設定することができる。また、端子部が配線用空間に近接した位置に設けられる。また、電子機器ユニット間の配線用空間は作業者側が開放される。さらに、配線する前に底板を取り付けておくことができ、配線後に底板を配線の下に挿入する煩雑な作業が不要になる。
【０００７】
【発明の実施の形態】
以下、本発明の実施の形態を図に基づいて説明する。図１は本発明に係る制御盤の概略の構成を示す正面図、図２は同じく電子機器ユニットの斜視図、図３は同じく要部を示す斜視図、図４は同じく要部を示す側面図である。図５は同じく最下位の電子機器ユニットを底面側から視た斜視図、図６は同じく電子機器ユニットの正面図、図７は同じく電子機器ユニットを拡大した正面図である。
【０００８】
図１において、全体を符号１で示す制御盤は、背板３と、この背板３の両側部に相対向して立設するように取り付けられた一対の両側板４，４とによって断面コ字状に形成された筺体２が備えられており、この筺体２の前面側は図示を省略した扉によって開閉されるように構成されている。背板３の上部側には、後述する３個の電子機器ユニット６Ａ，６Ｂ，６Ｃが上下方向に等間隔Ｌ隔てて水平状態に互いに平行になるように取り付けられ、背板３の中央部には、制御モジュール７が取り付けられ、下部側には電源モジュール８が取り付けられている。両側板４，４の内側には、角筒状の配線用ダクト９，９が取り付けられ、これら配線用ダクト９，９の両側部には、図３に示すように、複数の長方形状の導入孔９ａが上下方向に向かって等間隔に隔てて形成されている。
【０００９】
３個の電子機器ユニット６Ａ，６Ｂ，６Ｃは同じ構造に形成されているので、以下、電子機器ユニット６Ａのみを説明する。図２において、電子機器ユニット６Ａは、ベース１０Ａと、このベース１０Ａに一列に並べられて取り付けられた５個の電子機器モジュール２０と、これら電子機器モジュール２０と電気的に接続された多数の端子部２２が一列に並べられるようにしてベース１０Ａに取り付けられた端子台２１とから構成されている。ベース１０Ａには、細長い長方形に形成された背面板１１と、この背面板１１に立設された相対向する両側板１２,１３、上板１４、支持壁１６および４個の仕切り壁１７（図３参照）とによって形成された５個の箱に、５個の電子機器モジュール２０がそれぞれ着脱自在に収納されている。また、ベース１０Ａには、背面板１１、両側板１２，１３、支持壁１６、背面板１１に立設された下板１５および４個の仕切り壁１８によって形成された５個の箱に、５個の端子台２１がそれぞれ着脱自在に収納されている。
【００１０】
両側板１２，１３および仕切り壁１８には、それぞれ相対向するように係合凹部１９が形成されている。これら５個の電子機器モジュール２０と５個の端子台２１とはそれぞれ対応しており、端子台２１の端子部２２が電子機器モジュール２０の下方まで延設され、電子機器モジュール２０内の図示を省略したプリント配線板と電気的に接続されている。図６に示すように、支持壁１６の上面には、４０個の端子部２２に対応して、図中左端から右端に向かって通し番号「１」から「４０」が付されている。また、図７に示すように、電子機器モジュール２０の上面には、端子部２２に対応して電子機器モジュール２０の回路図２４が付されている。すなわち、回路図２４は、端子表示部より上方に回路図が描写された電子機器モジュール２０の内部回路を表示する内部回路図２４ａと、端子表示部より下方に回路図が描写された被制御機器の回路を表示する外部回路図２４ｂと、外線２６が接続されない「Ｎ．Ｃ．」表示部２４ｃとからなる。
【００１１】
上述したベース１０Ａの背面板１１の上下には、それぞれ三対の取付片１１ａが突設されているとともに、これら上方の取付片１１ａに隣接して上板１４にまで延在する３個の係合溝１１ｂが形成されている。３個のベース１０Ａ，１０Ｂ，１０Ｃは、背面板１１を上述した筺体２の背板３に当接させ、取付片１１ａにねじを挿通させ背板３のねじ孔（図示せず）螺合させることによって、背板３に取り付けられる。このように背板３に取り付けられた３個のベース１０Ａ，１０Ｂ，１０Ｃは、図１に示すように、ベース１０Ａ，１０Ｂ，１０Ｃの一端側に取り付けた端子台２１と、ベース１０Ａ，１０Ｂ，１０Ｃの他端が、等間隔Ｌだけ隔てて対向するように位置付けられている。これらベース１０Ａ，１０Ｂ，１０Ｃ間に設けられた間隔Ｌなる配線用空間２５Ａ，２５Ｂおよびベース１０Ｃの下方の長さＬなる配線用空間２５Ｃは、配線用ダクトとして機能するものである。すなわち、図示を省略した複数の被制御機器に接続され、配線用ダクト９内に配線された外線２６は、導入孔９ａからこの配線用空間２５Ａ，２５Ｂ，２５Ｃ内に導入される。
【００１２】
導入された外線２６は、図６に示すように、通し番号２３に対応させて端子部２２に接続される。接続する際には、図７に示すように、外部回路図２４ｂと照らし合わせながら行うことができるので、誤配線が防止されるとともに、配線作業が容易になるばかりではなく、配線チェックも容易になる。また、端子部２２が配線用空間２５に近接した位置に設けられるので、外線２６と端子部２２との接続作業が容易になる。また、配線用空間２５Ａ，２５Ｂ，２５Ｃの上方がダクト部材によって覆われていないので、従来のようにダクト部材の導出孔から外線２６を導出するための作業空間を設ける必要がなく、このため配線用空間２５Ａ，２５Ｂ，２５Ｃの高さＬを最小限とすることができる。また、ベース１０Ａ，１０Ｂ，１０Ｃに電子機器モジュール２０と端子台２１とを取り付けることにより、電子機器モジュール２０と端子台２１の端子部２２とが接続され、電子機器モジュールユニット６Ａ，６Ｂ，６Ｃが構成される。したがって、内部の配線作業が不要になるとともに内部配線のチェックも不要になる。
【００１３】
図３ないし図５において、２８Ａ，２８Ｂ，２８Ｃは、配線用空間２５の前面側の開口を覆うカバーであって、これらカバー２８Ａ，２８Ｂ，２８Ｃは、すべて同じ形状を呈しているので、カバー２８Ｃについてのみ図５に基づいて説明する。カバー２８Ｃは、前板２９と底板３０によって断面Ｌ字状に形成され、底板３０の端縁には、Ｕ字状の切欠き３１ａが形成された３個の係合片３１が立設され、これら係合片３１の幅ｌは、図３に示したベース１０Ａの係合溝１１ｂの幅ｌと同じ長さに形成されている。これらカバー２８Ａ，２８Ｂ，２８Ｃの前板２９には、ベース１０Ａ，１０Ｂ，１０Ｃに取り付けられたときに、カバー２８Ａ，２８Ｂ，２８Ｃに取り付けられた電子機器モジュール２０に対応して電子機器モジュール２０によって制御される被制御機器の名称が付された表示部３２が設けられている。
【００１４】
このような構成において、最上位のベース１０Ａと２番目のベース１０Ｂとの間の配線用空間２５Ａには、カバー２８Ａの係合片３１が２番目のベース１０Ｂの係合溝１１ｂに係合され、カバー２８Ａの前板２９の上端が最上位のベース１０Ａの係合凹部１９に係合されることによって配線用空間２５の前面側の開口が前板２９によって覆われる。同様に、２番目のベース１０Ｂと３番目のベース１０Ｃとの間の配線用空間２５Ｂの前面側の開口は、カバー２８Ｂの前板２９によって覆われる。また、３番目のベース１０Ｃの下方の配線用空間２５Ｃには、図５（ｂ）に示すように、カバー２８Ｃの係合片３１の切欠き３１ａに挿通したねじ３１ｂを背板３のねじ孔３ａに螺合させる。カバー２８Ｃの前板２９の上端を３番目のベース１０Ｃの係合凹部１９に係合させることにより、配線用空間２５Ｃの前面側の開口は、カバー２８Ｃの前板２９によって覆われる。
【００１５】
このように、カバー２８Ａ，２８Ｂ，２８Ｃは着脱自在で取り外すことにより、常時、配線用空間２５Ａ，２５Ｂ，２５Ｃは、前面側、すなわち配線作業者側が開口するので、配線作業が容易である。また、カバー２８Ａ，２８Ｂ，２８Ｃの係合片３１に、ねじ取付け用の切欠き３１ａを形成したので、カバー２８Ａ，２８Ｂとカバー２８Ｃとを同じ形状のもので兼用することができ、このため部品の種類を削減できる。
【００１６】
図８ないし図１１は本発明の第２の実施の形態を示し、図８はカバーの一構成部品である底板の斜視図、図９はカバーの一構成部品である前板の斜視図、図１０は同じく要部を示す側面図、図１１は同じく要部を示す斜視図である。
この第２の実施の形態では、カバー２８Ａ，２８Ｂ，２８Ｃを底板３３と前板３４との２部材に分割した点に特徴を有する。すなわち、図８に示すように、底板３３の一端３５は直角に折曲され、この折曲部３５には、３個の取付孔３６とこの取付孔３６に隣接して２個の逃げ孔３７ａ，３７ａおよび逃げ用切欠き３７ｂが形成され、他端部にスリット状の３個の係合孔３８が形成されている。図９において、前板３４は略平板状に形成され、一側端部には断面がクランク状の係合部４０が全幅にわたって形成され、他側端部には断面がクランク状の３個の係合部４１が形成されている。
【００１７】
このような構成において、配線用空間２５Ａに外線２６を配線する前に、あらかじめ底板３３の取付孔３６にねじ３９を挿通させて筺体２の背板３のねじ孔（図示せず）に螺合させることにより、図１１に示すように、底板３３をベース１０Ｂの上板１４上に載置するようにして、底板３３を背板３に取り付ける。次に、配線用空間２５Ａ内における外線２６の配線と端子部２２との接続作業を行い、作業が終了したら、底板３３の係合孔３８に前板３４の一方の係合部４１を係合させる。図１１に示すように、係合孔３８を回動中心として回動させ、他方の係合部４０をベース１０Ａの係合凹部１９に係合させることにより、図１０に示すように、配線用空間２５Ａの開口が覆われる。
【００１８】
このように、カバー２８Ａ，２８Ｂ，２８Ｃを底板３３と前板３４との２部材に分割したことにより、配線用空間２５Ａ，２５Ｂ，２５Ｃに外線２６を配線する前に底板３３を取り付けることができるので、配線された外線２６の下方に底板３３を挿入するといった煩雑な作業が不要になる。また、前板３４の他方の係合部４０とベース１０Ａの係合凹部１９とが製造誤差等によって位置ずれが発生したとしても、前板３４の一方の係合部４１と底板３３の係入孔３８との間で位置ずれを吸収することが可能になる。
【００１９】
【発明の効果】
以上説明したように請求項１記載の発明によれば、制御盤の外線の導入口から端子部までの外線の長さをあらかじめ設定することができるので、余分な長さの外線が発生しないとともに、余分な外線の切断作業も不要になり、作業性が向上し、かつ経済性にも優れている。また、端子部が配線用空間に近接した位置に設けられるので、外線の接続作業が容易で、かつ外線を配線ダクトの導出口から導出する作業が不要になるため、配線用空間の高さを最小限にすることができ、このため制御盤を小型化することができる。さらに、中継端子台が不要になることにより、内部の配線作業が不要になるとともに内部配線のチェックも不要になる。また、電子機器ユニット間の配線用空間は作業者側が開放されているので、作業性が向上するとともに、カバーの取り付け、取り外しが容易である。さらに、配線する前に底板を取り付けておくことができるので、配線後に底板を配線の下に挿入するといった煩雑な作業が不要になる。また、前板と電子機器モジュールとの間の位置ずれを前板と底板との間で吸収することが可能になる。
【図面の簡単な説明】
【図１】  本発明に係る制御盤の概略の構成を示す正面図である。
【図２】  本発明に係る制御盤における電子機器ユニットの斜視図である。
【図３】  本発明に係る制御盤における要部を示す斜視図である。
【図４】  本発明に係る制御盤における要部を示す側面図である。
【図５】  本発明に係る制御盤における最下位の電子機器ユニットを底面側から視た斜視図である。
【図６】  本発明に係る制御盤における電子機器ユニットの正面図である。
【図７】  本発明に係る制御盤における電子機器ユニットを拡大した正面図である。
【図８】  本発明に係る制御盤の第２の実施の形態を示し、カバーの一構成部品である底板の斜視図である。
【図９】  本発明に係る制御盤の第２の実施の形態を示し、カバーの一構成部品である前板で、（ａ）は正面図、（ｂ）は底面図、（ｃ）は側面図である。
【図１０】  本発明に係る制御盤の第２の実施の形態の要部を示す側面図である。
【図１１】  本発明に係る制御盤の第２の実施の形態においてカバーの取付状態を示す要部の斜視図である。
【図１２】  従来の制御盤における配線構造を模式的に示す正面図である。
【図１３】  従来の第２の例の制御盤における配線構造を模式的に示す正面図である。
【符号の説明】
１…制御盤、６Ａ，６Ｂ，６Ｃ…電子機器ユニット、１０Ａ，１０Ｂ，１０Ｃ…ベース、１１ｂ…係合溝、１９…係合凹部、２０…電子機器モジュール、２２…端子部、２３…通し番号、２４…回路図、２５…配線用空間、２６…外線、２８Ａ，２８Ｂ，２８Ｃ…カバー、２９，３４…前板、３０，３３…底板、３１…係合片、３２…表示部、３８…係合孔、４１…係合部。
【図１】
0003792906.tif 000002
【図２】
0003792906.tif 000003
【図３】
0003792906.tif 000004
【図４】
0003792906.tif 000005
【図５】
0003792906.tif 000006
【図６】
0003792906.tif 000007
【図７】
0003792906.tif 000008
【図８】
0003792906.tif 000009
【図９】
0003792906.tif 000010
【図１０】
0003792906.tif 000011
【図１１】
0003792906.tif 000012
【図１２】
0003792906.tif 000013
【図１３】
0003792906.tif 000014